(57)【要約】【課題】  記録が開始されるまでの待ち時間に関して改善する。【解決手段】  記録再生装置は、ＤＶＤディスクまたはＤＶＤ−Ｒディスク等の記憶可能なディスク１を駆動するディスク駆動装置と、記録再生装置に内蔵されるハードディスク駆動装置（以下、「ＨＤＤ」と称する。）２と、装置のトレイ（ターンテーブル）上のディスク１が有るか否か検知するディスク検知部３と、ディスク１又はＨＤＤ２へのデータを転送するデータ転送部４と、装置の外部から入力される情報（例えば、映像情報Ｖ、音声情報Ａなど）をディスク１に記録するためのデータをエンコードするエンコーダ部５と、ＨＤＤ２からの複写記録データを読み出してそのデータをデコードするデコード部６と、ＤＶＤ−ＶＩＤＥＯ／ＤＶＤ−ＶＲ方式デコーダ部７と、記録方式変換部８と、出力切換え部９と、半導体メモリ１０と、装置の操作部１１と、ＣＰＵ部（管理情報解析）１２と、を有して構成される。【選択図】  図１
2005339606.tif 000002
【特許請求の範囲】
【請求項１】
第１の記録媒体に情報を記録するとともに、該情報を再生可能な記録再生装置であって、
前記第１の記録媒体を装着する駆動装置と、
前記第１の記録媒体への情報の記録と再生とに関する操作を行う操作部と、
前記第１の記録媒体が前記駆動装置に装着された状態において、前記第１の記録媒体への情報の記録を開始させる前記操作部の操作に応じて、前記情報のうちの所定期間だけ前記第１の記録媒体とは異なる第２及び第３の記録媒体であって前記第１の記録媒体よりも操作に対するレスポンスの良い第２及び第３の記録媒体に記憶させる制御を行う制御部と
を備えることを特徴とする記録再生装置。
【請求項２】
前記制御部が前記第２及び第３の記録媒体に記録させるための所定期間は、前記記録開始操作を受けた時点から開始される期間であることを特徴とする請求項１に記載の記録再生装置。
【請求項３】
前記制御部が前記第２及び第３の記録媒体に記録させるための所定期間は、前記第１の記録媒体におけるレスポンスの遅れを含む期間であることを特徴とする請求項１又は２に記載の記録再生装置。
【請求項４】
前記制御部は、
前記第２及び第３の記録媒体に既に保存情報が記憶されている状態において、前記操作部により前記第１の記録媒体への記録を開始する旨の操作が行われた場合に、該第１の記録媒体に記録する情報を記録開始から所定期間だけ前記第２及び第３の記録媒体に記憶するとともに、前記所定期間中は前記第１の記録媒体への記録と並行して該所定期間の一単位だけ前の期間に記憶されている情報を前記第３の記録媒体から読み出して出力する制御を行い、所定期間経過後は前記第２の記録媒体に記憶した情報を基に前記第１の記録媒体に後追い記録する制御手段とを備えることを特徴とする請求項１から３までのいずれか１項に記載の記録再生装置。
【請求項５】
前記第１の記録媒体が前記第１の駆動装置に装着されているか否かを検出する検出手段を備え、
前記制御部は、該検出手段により前記第１の記録媒体が装置本体より取り出されたと判断された場合に、前記第２及び第３の記録媒体に記録されている保存情報を消去する制御を行うことを特徴とする請求項１から４までのいずれか１項に記載の記録再生装置。
【請求項６】
前記第２の記録媒体は、ハードディスクであり、前記第３の記録媒体は、読み出し及び書き込みを同時に行うことが可能な半導体メモリで構成されていることを特徴する請求項１から５までのいずれか１項に記載の記録再生装置。
【請求項７】
前記記録される情報が放送録画であった場合に、前記所定期間をＣＭ放送期間とすることを特徴とする請求項１から６までのいずれか１項に記載の記録再生装置。
【発明の詳細な説明】
【技術分野】
【０００１】
本発明は、記録可能なＤＶＤ装置に関し、より詳細には、情報をＤＶＤディスク書き込む際に、書き込み開始から所定期間において、ＤＶＤ装置が出力する技術に関する。
【背景技術】
【０００２】
種々の記録再生装置の中には、大容量データの記録・再生が可能なＤＶＤディスク（ＤＶＤ−Ｒ等）ドライブと内蔵のＨＤＤ（ハードディスクドライブ）とを備えた装置がある。記録が可能なＤＶＤ関係の媒体（メディア）として、最近ではＤＶＤディスクが長時間の画像を記録するための有力な媒体となってきている。ＤＶＤディスクを媒体とするレコーディング規格には、ＤＶＤ−ＶＩＤＥＯ（ビデオ）方式とＤＶＤ−ＶＲ（ビデオレコーディング）方式とがある。
【０００３】
ＤＶＤ−ＶＩＤＥＯ方式は、再生専用のＤＶＤシステムのフォーマットとして開発されてきたため、単一のディスク内の情報において、１つのタイトルの中に解像度が異なる複数のストリームを混在させることは許容されていない。一方、ＤＶＤ−ＶＲ方式は、記録再生用ＤＶＤシステムとして開発されてきたため、単一のディスク内の情報において、１つのタイトルの中に解像度が異なる複数のストリームが混在することが許容されている。
そこで、ＤＶＤ−ＶＲ方式で記録されたディスクのタイトル内に異なる解像度をもつ複数のストリーム情報が存在した場合に、解像度が異なる部分で自動的にタイトルを分割し、ＤＶＤ−ＶＩＤＥＯ方式のデータに変換処理を行うために、記録ＤＶＤメディアドライブとともにＨＤＤを備えている記録再生装置もある（例えば、特許文献１参照）。
【０００４】
【特許文献１】特開２００３−１５３１７０号公報
【発明の開示】
【発明が解決しようとする課題】
【０００５】
上述したように、ＤＶＤディスクなどの記録メディアに記録可能な記録再生装置は、１つのディスク内の複数のタイトルにそれぞれ異なるフォーマットが混在する場合があるため、情報を一旦記録した後に再度記録する際に、ＤＶＤディスクの記録フォーマットを判別し、指定されたフォーマットにデータに変換処理を行った後に記録を開始する必要がある。このデータ変換処理を行うために時間を確保するために、記録開始までに時間を要し、ユーザにとってその待ち時間がイライラの原因にもなるという問題があった。
【０００６】
本発明は、記録が開始されるまでの待ち時間に関して改善するための技術を提供することを目的とする。
【課題を解決するための手段】
【０００７】
本発明に係る記録再生装置は、第１の記録媒体に情報を記録するとともに、該情報を再生可能な記録再生装置であって、
前記第１の記録媒体を装着する駆動装置と、前記第１の記録媒体への情報の記録と再生とに関する操作を行う操作部と、前記第１の記録媒体が前記駆動装置に装着された状態において、前記第１の記録媒体への情報の記録を開始させる前記操作部の操作に応じて、前記情報のうちの所定期間だけ前記第１の記録媒体とは異なる第２及び第３の記録媒体であって前記第１の記録媒体よりも操作に対するレスポンスの良い第２及び第３の記録媒体に記憶させる制御を行う制御部とを備えることを特徴とする。
【０００８】
上記記録再生装置によれば、操作部からの操作を行った後も所定期間だけ前記第１の記録媒体への記録は遅れる。そこで、前記第１の記憶媒体による記録遅れの分に相当する情報を、操作に対するレスポンスの良い第２及び第３の記憶媒体に記憶しておけば、所定時間においては、第１及び第２の記録媒体とは異なる第３の記憶媒体から出力し、遅れの分だけは第２の記憶媒体から出力し、その後は第１の記録媒体から出力することで、利用者には遅れを感じさせなくて済む。
【０００９】
尚、前記記録される情報が放送録画であった場合に、前記ある時間をＣＭ放送期間とすることにより、通常スキップする期間はＣＭのときが多く、このＣＭの前後のシーンは、同じシーンが繰り返されて放送されることがある。従って、シーンの冒頭を出力することにより、出力情報が重複して使用者に伝わることがなく、使用者も放送番組の内容をすばやく知りえることができる。
【発明の効果】
【００１０】
本発明によれば、記録可能なディスクを用いて記録のための準備期間中に、ディスクに記録されるべき情報の先頭シーンの部分を別途メモリに記憶しておくことにより、準備期間を無駄にせずに、記録又は再生に用いることが可能となる。従って、使用者にとって、装置において記録又は再生が開始されるまでの間のイライラ感を防止することができる。
【発明を実施するための最良の形態】
【００１１】
以下、本発明の一実施の形態による記録再生装置について図面を参照しつつ説明を行う。図１は、本実施の形態による記録再生装置の構成例を示すブロック図である。図１に示す記録再生装置は、ＤＶＤディスクまたはＤＶＤ−Ｒディスク等（ＤＶＤ−Ｒ、ＤＶＤ−Ｒ／Ｗ等、以下、「ディスク」と称する。）の記憶可能なディスク１を駆動するディスク駆動装置と、記録再生装置（以下「装置」と称する場合がある。）に内蔵されるハードディスク駆動装置（以下、「ＨＤＤ」と称する。）２と、装置のトレイ（ターンテーブル）上のディスク１が有るか否か検知するディスク検知部３と、ディスク１又はＨＤＤ２へのデータを転送するデータ転送部４と、装置の外部から入力される情報（例えば、映像情報Ｖ、音声情報Ａなど）をディスク１に記録するためのデータをエンコードするエンコーダ部５と、ＨＤＤ２からの複写記録データを読み出してそのデータをデコードするデコード部６と、ＤＶＤ−ＶＩＤＥＯ／ＤＶＤ−ＶＲ方式デコーダ部７と、記録方式変換部８と、出力切換え部９と、ディスク１よりも高速で読み書きが可能であり、かつ、立ちあがりのレスポンスが良好な半導体メモリ１０と、装置の操作部１１と、ＣＰＵ部（管理情報解析）１２と、を有して構成される。
【００１２】
次に、本実施の形態による記録再生装置の動作の流れを図３のフローチャート図を参照しつつ説明を行う。本実施の形態による記録再生装置は、ディスク１からデータ転送部４を介してデータを読み込み（ステップＳ１）、ディスク１のフォーマット方式をＣＰＵ１２において解析する（ステップ２）。ディスクドライブ内のディスク１が、未記録のディスクであるか、ＤＶＤ−ＶＩＤＥＯ方式で記録されているディスクであるか、ＤＶＤ―ＶＲ方式で記録されているディスクであるかを解析する。ディスク１がＤＶＤ−ＶＩＤＥＯ方式で記録されていた場合は、ステップＳ７において編集を行うか否かを判断し、編集を行わない場合にはステップＳ３に進み、読み出したデータ（情報）をＤＶＤ−ＶＩＤＥＯ方式デコーダ部７に送り、表示部を持つ装置へ出力する。編集を行う場合には、ステップＳ８以下に進む（後述）。またディスク１がＤＶＤ−ＶＲ方式で記録されている場合は、読み出したデータ（情報）をＤＶＤ−ＶＲ方式のデコーダ部７に送り、例えば表示部を持つ装置へ出力する（ステップＳ４）。
【００１３】
ディスク１が未記録である場合又は記録可能な領域が残されている場合は、記録再生装置に入力される信号情報（映像Ｖ、音声Ａ）をＤＶＤ−ＶＲ方式エンコーダ５によりエンコードし（ステップＳ５）、データ転送部４を経てディスク１に記録することができる（ステップＳ６）。ステップＳ７において、また、ディスク１が上述のＤＶＤ−ＶＩＤＥＯ方式の場合であって記録されている情報（映像、音声のデータ）をＤＶＤ−Ｒディスクに記録するための編集を行うと判断された場合は、ディスク１から読み出した該当する編集対象のデータをＨＤＤ２にビットストームで記録した後に（ステップＳ８）、ディスク１をＤＶＤ−Ｒディスクに取り替える（ステップＳ９）。上述のＤＶＤ−Ｒディスク１に、先に記録したＤＶＤ−ＶＩＤＥＯのデータをＨＤＤ２から読み出し方式変換部８によりビットストリーム形式で読み出されたデータをＤＶＤ−ＶＲ方式にエンコードし（ステップＳ１０）、データ転送部４を介してディスク（ＤＶＤ−Ｒ）１に記録する（ステップＳ１１）。
【００１４】
キャッシュメモリ４ａは、高速のメモリであり、データの一時的な記録を行う。以下、本実施の形態による処理の特徴について図２を参照しつつ説明を行う。適宜、図１も参照する。図２は、上述のように、外部からの情報（映像Ｖ、音声Ａ）をＤＶＤ−ＶＲ方式エンコーダ部５においてエンコードし、記録可能なディスク１に記録している期間において、ユーザが記録を中断し入力される情報をスキップした後、再度ユーザが所望する情報の記録を開始するケースに関する動作を時系列化したイメージを示す図である。図２（ａ）は、記録再生装置に入力される情報であって、記録中断期間を挟んで、情報を記録している状態を時系列的に示す図である。図２（ｂ）は、図２（ａ）の状態における装置がディスク１に書き込む（記録する）タイミングを模式的に示す図である。図２（ａ）と図２（ｂ）との各時間ｔはそれぞれ対応している。
【００１５】
図２（ａ）に示すように、時間ｔ１から時間ｔ３までは、入力される情報に基づいて連続的にディスク１に情報を記録したい期間であり、時間ｔ３から時間ｔ４までは記録を停止した状態（記録をスキップしている期間）であり、時間ｔ４からｔ６までは、記録処理を再開し記録をしたい期間である。時間ｔ６からｔ７までは、再度記録を停止した状態（記録をスキップしている期間）であり、時間ｔ７で記録を開始し時間ｔ８まで記録をしたい状態である。尚、「記録をしたい期間」という表現を用いたのは、ＤＶＤによる記録処理の場合には、記録フォーマットの検知および記録フォーマットを行った後に実際の情報の記録を行うためであり、ＶＴＲのように直ぐには記録が開始できないためである。
【００１６】
これらの期間（ｔ１〜ｔ２、ｔ４〜ｔ５、ｔ７〜ｔ８）を初期化期間と表現すると、使用者が装置の操作部１１より記録（開始）キーを入力しても、ディスク１に情報の記録が開始される真の記録時間は図２（ａ）の例では、期間（ｔ２〜ｔ３）、期間（ｔ５〜ｔ６）、期間（ｔ８〜）となる。本実施の形態においては、この初期化期間（ｔ１〜ｔ２）、（ｔ４〜ｔ５）及び（ｔ７〜ｔ８）、つまりユーザが操作部１１の記録開始キーを入力した時点から、装置Ａに入力される情報が、ＤＶＲ−ＲＶ方式エンコーダ５でエンコードされた後、データ転送部４からＨＤＤ２へストリームデータとして上述の初期化期間（ｔ１〜ｔ２）、（ｔ４〜ｔ５）及び（ｔ７〜ｔ８）として十分余裕を取った期間だけ記録する。そして上述したようにＨＤＤ２へ記録しながら、順次、記録済の情報を読み出してディスク１に記録する後追い記録を行うので、上述した初期化期間（ｔ１〜ｔ２）、（ｔ４〜ｔ５）及び（ｔ７〜ｔ８）の情報が抜けた状態でディスク１に記録されることはなく、連続したデータとして記録できる。
【００１７】
しかしながら、実際には、ディスクの回転数が所定の回転に達しサーボがかかった時点、つまり図２（ａ）のｔ２以降、ｔ５以降及びｔ８以降に、後追い記録が始まるため、初期化期間のうち、期間（ｔ４〜ｔ５）、期間（ｔ７〜ｔ８）においては、出力する情報がないことになる。そこで、本実施の形態による装置においては、図２（ａ）の期間（ｔ１〜ｔ２）の初期化期間に対応するに相当する情報を図２（ｂ）の期間（ｔ４〜ｔ５）に再生する情報として、例えば書換え可能な半導体メモリ１０に格納しておき、出力切換え部９で図２（ｂ）の（ｔ４〜ｔ５）の期間に、図２（ａ）の期間（ｔ１〜ｔ２）の情報を半導体メモリ１０より読み出し、装置の再生出力とする。
【００１８】
同時に図２（ａ）の（ｔ４〜ｔ５）の初期化期間に相当する情報を書換え可能な半導体メモリ１０に格納する。
次に、出力切換え部９において図２（ｂ）の（ｔ７〜ｔ８）の期間に上述の保存情報である図２（ａ）の期間（ｔ４〜ｔ５）における情報を半導体メモリ１０から読み出し、記録再生装置における出力とするとともに、図２（ａ）の期間（ｔ７〜ｔ８）の初期化期間に相当する情報を書換え可能な半導体メモリ１０に格納する。半導体メモリ１０への情報の格納タイミング、半導体メモリ１０からの読み出しのタイミング、などに関しては、ＤＶＤへの記録や再生のタイミングとの間で、時間制御を行う。例えばＣＰＵ１２により同期をとっておくのが好ましい。また、番組やシーンなどの記録情報を特定するために、識別ＩＤを記憶情報とともに記憶しておくのが好ましい。或いは、初期化期間及びディスク１のローディングなどに要する期間がほぼ一定であれば、その期間を記憶しておき、記憶に基づいて一律にある期間だけ半導体メモリ或いはＣＰＵ部１２に記憶させるようにしても良い。
【００１９】
尚、上記の如くに読み出しと書き込みとを同時に行うことができる半導体メモリとして、デュアルポートＤＲＡＭなどがある。或いは、２つの半導体メモリを用い同期をとりつつ書き込みと読み出しとを行っても良い。半導体メモリ１０は記録再生装置の電源が切れても、半導体メモリ内の記憶情報を保存しておく必要がある。そこで不揮発性半導体を用いるか、或いはＤＲＡＭなどの場合には、二次電池等のバックアップ手段を用いる。また、ディスクが記録再生装置の本体から取り出された場合は、検出手段（ディスクの有無を検知する検出部）３により検出され、半導体メモリ１０の記憶されている保存情報をＣＰＵ部１２が消去する。検出手段は、半導体発光部と光受光部とで構成され、ディスク面とトレイ（ターンテーブル）表面の反射率の違いによりＣＰＵ部１２が判断する。尚、上述した初期化期間は、記録再生装置及び記録再生装置の使用モード状態の遷移の種類によっても異なるものである。
【００２０】
以上、本発明の実施の形態による記録再生装置によれば、記録可能なＤＶＤを用いて初期化する期間中又は記憶領域のうちの一部に既に情報が記憶されている状態において再度記憶を行う場合、又は、記録されている情報の再生を行う場合に適用できる。すなわち、上記の場合において、ディスクに記録されるべき情報の先頭部分を別途設けたメモリに記憶させておき、このメモリから情報の先頭部分を読み出して出力することが可能となる。従って、使用者にとって、記録又は再生などの処理が開始されるまでの間のイライラ感を防止することができる。
【００２１】
また、記録される情報が放送録画であった場合、通常スキップする期間はＣＭのときが多く、このＣＭの前後のシーンは、同じシーンが繰り返されて放送されることがある。従って、シーンの冒頭を出力することにより、出力情報が重複（ＣＭ前後の同じシーン）して使用者に伝わることがなく、使用者も放送番組の内容をすばやく知ることができるという利点がある。
【００２２】
尚、上記実施の形態においては、ディスクに情報を記憶する際にメモリに先頭部分を記憶させておき、再生時にまずメモリに記録された先頭部分を再生させる場合に用いることも可能であり、或いは、一度記録処理を行った後に記録処理を中断し、再び記録処理を行う際のディスクに起因する遅れをカバーするために次回再生時の先頭部分をメモリに記憶させておいても良い。断続的に記録と記録中断とを繰り返す場合には、メモリへの記録と記録の削除を行いつつ第２の記録媒体（ＨＤＤなど）への情報の転送を行うようにするのが好ましい。
【００２３】
また、ディスク駆動における遅れ時間がほぼ一定の場合にはそれを予め記憶しておき、これに基づいてメモリに記憶する時間を規定することも可能である。
【産業上の利用可能性】
【００２４】
本発明はＤＶＤ−Ｒ、ＤＶＤ−ＲＷ、ＤＶＤ−ＲＡＭ、ＤＶＤ−Ｂｌｕ等を記録媒体とする記録再生装置に適用することができる。
【図面の簡単な説明】
【００２５】
【図１】本発明の一実施の形態による記録再生装置の構成例を示す機能ブロック図である。
【図２】本実施の形態による記録再生装置において、記録を時系列に説明を行うための模式図であり、図２（ａ）は、記録に関する時系列を、図２（ｂ）は出力に関する時系列を示す図である。
【図３】本実施の形態による記録再生装置の動作の流れを示すフローチャート図である。
【符号の説明】
【００２６】
１…ディスク（記憶媒体）、２…ＨＤＤ、３…ディスク有無検知部、４…データ転送部、５…ＤＶＤ−ＶＲ方式エンコーダ、６…ＨＤＤからの複写記録部／読み出し部／デコーダ部、７…ＤＶＤ−ＶＩＤＥＯ／ＤＶＤ−ＶＲ方式デコーダ部、８…方式変換部、９…出力切換え部、１０…半導体メモリ、１１…操作部、１２…ＣＰＵ。
【図１】
2005339606.tif 000003
【図２】
2005339606.tif 000004
【図３】
2005339606.tif 000005